(57)【特許請求の範囲】
【請求項１】
未知のトラフィック特性及び既知のトラフィック特性を有するコネクションのためにトラフィックを生成する送信源であり、該トラフィックは、重み付けした優先順位を有するトラフィック及び重み付けした優先順位は有しないトラフィックを含む未知の特性を具えている；
トラフィックが伝わるネットワーク、該ネットワークへ接続された該送信源、該送信源は、未知のトラフィック特性及び既知のトラフィック特性を、該ネットワーク上へ送信する；及び
ネットワークへ接続されており、未知のトラフィック特性及び既知のトラフィック特性を有するトラフィックを受信する受信先、
を具えているＡＴＭ通信システム。
【請求項２】
トラフィックを送信源から受信先へ切り替える、ネットワークへ接続されたスイッチを含む、請求項１に規定されたシステム。
【請求項３】
未知のトラフィック特性を有するコネクションのためにトラフィックを生成する機構であり、該トラフィックは、重み付けした優先順位を有するトラフィック及び重み付けした優先順位は有しないトラフィックを含んでおり；及び
トラフィックをネットワークへ送信する機構、
を具えている、スイッチを有するネットワークのためのＡＴＭトラフィックを生成する送信源。
【請求項４】
重み付けした優先順位を有する未知の特性を含むトラフィックを具えたコネクションは、重み付けした優先順位（ＵＢＲｗ  ＶＣ）を有するＵＢＲコネクショントラフィックであり、重み付けした優先順位は有しない未知の特性を有するトラフィックはＵＢＲ  ＶＣトラフィックである、請求項３に規定された送信源。
【請求項５】
ＵＢＲｗ  ＶＣトラフィックは、複数の重み付けした優先順位を有する、請求項４に規定される送信源。
【請求項６】
既知のトラフィック特性を有するトラフィックを、ネットワークへ提供する機構を含む、請求項５に規定される送信源。
【請求項７】
既知のトラフィック特性を有するトラフィックは、ＡＢＲ、ＣＢＲ、ＶＢＲ又はこれらの組合せである、請求項６に規定される送信源。
【請求項８】
各ＵＢＲｗ  ＶＣの重さを、ネットワークのスイッチへ知らせる信号メッセージを生成する機構を含む、請求項７に規定される送信源。
【請求項９】
ＵＢＲｗ  ＶＣの重さは、ＵＢＲ  ＶＣ及びＵＢＲｗ  ＶＣトラフィックの間の相対的優先順位を特定する、請求項８に規定される送信源。
【請求項１０】
より大きい重さを有するＵＢＲｗ  ＶＣＳは、ネットワークの利用可能な帯域幅の、より広い部分を受信する、請求項９に規定される送信源。
【請求項１１】
各ＵＢＲｗ  ＶＣは、優先順位の重さに対応するＵＢＲｗＶＣに関連しているＮビットを有している、請求項１０に規定される送信源。
【請求項１２】
未知のトラフィック特性を有するコネクションのためにトラフィックを受信する機構であり、該トラフィックは、重み付けした優先順位を有するトラフィック及び重み付けした優先順位は有しないトラフィックを含んでおり；
コネクションのためのトラフィックを、ネットワークへ送信する機構であり、該送信機構は、該受信機構へ接続されている；及び
重み付けした優先順位を有する未知の特性を含むトラフィックを有するコネクションが、ネットワークへ送信されることになっている場合にスケジュールするスケジューラであり、該スケジューラは、送信機構及び受信機構へ接続されている、
を具える、ＡＴＭネットワーク上のトラフィックを、送信源から受信先へ切り替えるスイッチ。
【請求項１３】
重み付けした優先順位を有する未知の特性を含むトラフィックを具えたコネクションは、重み付けした優先順位（ＵＢＲｗ  ＶＣ）を有するＵＢＲコネクショントラフィックであり、重み付けした優先順位は有しない未知の特性はＵＢＲ  ＶＣトラフィックである、請求項１２に規定されたスイッチ。
【請求項１４】
コネクションを格納するメモリーであって、該メモリーは、受信機構、スケジューラ及び送信機構へ接続されている、請求項１３に規定されるスイッチ。
【請求項１５】
メモリーは、ＶＣの重さに従って、より大きい重さのＶＣＳには、より高い優先順位を与える様に設けられたバッファを含んでいる、請求項１４に規定されるスイッチ。
【請求項１６】
受信機構も又、ＡＢＲ、ＣＢＲ、ＶＢＲ又はこれらの組合せの何れかの、既知の特性を有するトラフィックを受信する、請求項１５に規定されるスイッチ。
【請求項１７】
スケジューラは、ＵＢＲｗ  ＶＣｓが送信機構によって送信されることになっている場合にスケジュールするために、重み付けしたラウンドロビン方式を利用する、請求項１６に規定されるスイッチ。
【請求項１８】
重み付けした優先順位を有する未知のトラフィック特性を含むコネクションのトラフィックを、送信源からＡＴＭネットワークへ送信する工程；及び
重み付けした優先順位は有しない未知のトラフィック特性を含む他のコネクションのトラフィックを、送信源からＡＴＭネットワークへ送信する工程；
を具える、ＡＴＭ通信システム内のトラフィックを転送する方法。
【請求項１９】
重み付けした優先順位を有する未知のトラフィック特性を含むコネクションのトラフィックを送信する工程の前に、重み付けした優先順位を有する未知のトラフィック特性を含むコネクションへ優先順位を割り当てる工程がある、請求項１８に規定される方法。
【請求項２０】
割当て工程の後、信号メッセージを、送信源からネットワーク上のスイッチへ送信する工程があり、該ネットワークは、重み付けした優先順位を有する未知のトラフィック特性を含むコネクションのトラフィックを受信することになっており、従って、スイッチは、重み付けした優先順位を有する未知のトラフィック特性を含むコネクションの優先順位の重さに対応するスケジューリングプロセスを組み立てる、請求項１９に規定される方法。
【請求項２１】
重み付けした優先順位を有する未知のトラフィック特性を含むコネクションのトラフィックを送信することには、重み付けした優先順位を有するＵＢＲコネクションのトラフィックを送信する工程が含まれており、重み付けした優先順位は有しない未知のトラフィック特性を含む他のコネクションのトラフィックを送信する工程は、重み付けした優先順位は有しないＵＢＲコネクション（ＵＢＲ  ＶＣ）のトラフィックを送信する工程を含む、請求項２０に規定される方法。
【請求項２２】
割当て工程の後に、ＡＢＲ、ＣＢＲ、ＶＢＲ又はこれらの組合せの何れかの、既知のトラフィック特性を有するトラフィックを、送信源から送信する工程がある、請求項２１に規定される方法。
【請求項２３】
ＵＢＲｗ  ＶＣの送信工程の後、スイッチにおいてＵＢＲｗ  ＶＣを受信する工程がある、請求項２２に規定される方法。
【請求項２４】
受信工程の後に、スイッチによって、重み付けしたラウンドロビンに基づいた受信先に向けてネットワーク上へ送信するためのＵＢＲｗ  ＶＣをスケジュールする工程がある、請求項２２に規定される方法。
【発明の詳細な説明】
【０００１】
【発明の属する技術分野】
本発明は、重み付けした優先順位（weighted priorities）を有するトラフィック及び、重み付けした優先順位は有しないトラフィックを含んでいる未知の特性を具えるＡＴＭトラフィックに関する。より具体的には、本発明は、重み付けした優先順位を有するＵＢＲコネクショントラフィック（ＵＢＲｗ  ＶＣ）に関しており、重み付けした優先順位は有しない、未知の特性を具えているトラフィックは、ＵＢＲ  ＶＣトラフィックである。
【０００２】
【従来の技術】
ＣＢＲ、ＶＢＲ、ＡＢＲ及びＵＢＲトラフィッククラスは、現在の及び、次に行われるサービスを支援するように作られているが、多くのデータサービスは未知のトラフィック特性を有しているので、この様な柔軟性の利点を十分に活かすことは困難である。ユーザは、ネットワークサービスにＵＰＣパラメータを設けるように求められたとき、著しい混乱がある。
【０００３】
ＵＢＲトラフィッククラスは、未知のトラフィック特性のデータサービスを提供するように特別に作られている。パラメータは、ＵＢＲのために特定されることは不要であり、これによって最も簡単なユーザインタフェースが設けられる。事実上、ＵＢＲは、殆どのエンタープライズネットワーク及び、ＡＴＭ上に形成されたインターネットを柱とするネットワークの殆どにおいて、主要なトラフィッククラスである。
【０００４】
しかしながら、ＩＥＥＥ８０２.１ｐ／Ｑ仕様やＩＥＴＦ分化サービス（IETF Differenciated Service）（引用を以て本願の一部とする）の如き最新の仕様は、開発中であり、おそらく将来には普及した発展が見られるであろう。前述の二仕様は、ある種のトラフィックは、ある意味において、他のものよりも「更に重要」であるが、トラフィックの特性に関する如何なる知識も有しない。これらのサービスの仕様は、現存するＡＴＭサービスクラスに直接には写像しない。（トラフィックは特定され得ると想定されるので、ＩＥＴＦ統合サービス仕様が既に、ＡＴＭサービスクラスに直接写像していることに注目されたい。）
【０００５】
【発明が解決しようとする課題】
現時のＡＴＭ仕様において、ＵＢＲトラフィッククラス内でデータトラフィック優先順位を見分ける方法は存在しない。これに支援を与えるために、本発明は、ＵＢＲ内のＵＢＲｗトラフィッククラスに関している。これにより、ＩＥＥＥ８０２.１ｐ／Ｑ及びＩＥＴＦ分化サービスは両方とも、直接ＡＴＭ  ＵＢＲサービスクラスへ写像することが出来る。ＵＢＲｗトラフィッククラスが無ければ、インターネット及び企業ネットワークにおけるＡＴＭの成長は、制限されるであろう。
この様な識別されたデータトラフィックの実例には、下記のものが含まれる。・非特定ＵＰＣパラメータを有するＵＢＲトラフィックＱＯＳより優れている、一組のネットワークエンドポイント。
・非特定ＵＰＣパラメータを有するＵＢＲトラフィックＱＯＳより優れている、一組のアプリケーション。
・ＩＳＰは、様々なグレードのサービスを、ＵＢＲトラフィッククラスを要求する顧客へ提供することが可能である。
・企業におけるＶＰＮｓ（Corporate VPNs）は、異なるグレードのサービスを有することが出来る。
【０００６】
ＡＴＭの拡張性（scalability）と扱い易さにより、ＵＢＲｗサービスは、多くのＩＳＰｓを大いに惹きつけるであろう。これは、企業のＡＴＭネットワークにも同様に有益であろう。
【０００７】
【課題を解決するための工程】
本発明は、ＵＢＲｗ即ち、ＵＢＲトラフィッククラス内の重み付けしたトラフィックサービスを説明する。ＵＢＲｗによって、ＩＥＥＥ８０２.１ｐ／Ｑ及びＩＥＴＦ分化サービストラフィックの両方を支援出来る。更に、ＵＢＲｗは、周知のトラフィック特性は有していないが、相対的優先順位の要件を有しているサービスのために、ＵＰＣを特定することに関する問題を容易化する。
【０００８】
【発明の要旨】
本発明は、ＡＴＭ通信システムに関する。該システムは、送信源（source）を具えており、これは、既知のトラフィック特性及び未知のトラフィック特性を有するコネクションのためにトラフィックを生成する。トラフィックは、重み付けした優先順位を有するトラフィック及び、重み付けした優先順位は有しないトラフィックを含む未知の特性を備えている。システムは、トラフィックが伝わるネットワークを具えている。送信源は、ネットワークへ接続されている。送信源は、既知のトラフィック特性及び未知のトラフィック特性を有するトラフィックを、ネットワークへ伝える。システムは、ネットワークへ接続されている受信先（destination）を具えており、既知のトラフィック特性及び未知のトラフィック特性を有するトラフィックを受信する。
【０００９】
本発明は、スイッチを有するネットワークのためにＡＴＭトラフィックを生成する送信源に関する。送信源は、未知のトラフィック特性を有するコネクションのために、トラフィックを生成する機構を具えている。トラフィックには、重み付けした優先順位を有するトラフィックと、重み付けした優先順位は有しないトラフィックとが含まれる。送信源は、トラフィックをネットワークへ送信する機構を具えている。
【００１０】
本発明は、ＡＴＭネットワーク上のトラフィックを、送信源から受信先へ切替えするスイッチに関する。スイッチは、未知のトラフィック特性を有するコネクションのために、トラフィックを受信する機構を具備している。トラフィックには、重み付けした優先順位を有するトラフィック及び、重み付けした優先順位は有しないトラフィックが含まれる。スイッチは、コネクションのためにトラフィックをネットワークへ送信する機構を具えている。送信機構は、受信機構へ接続されている。スイッチは、重み付けした優先順位を有する未知の特性を含むトラフィックを有するコネクションが、ネットワークへ送信されることになっている場合に、スケジュールする、スケジューラを具えている。スケジューラは、送信機構及び受信機構へ接続されている。
【００１１】
本発明は、ＡＴＭ通信システムにてトラフィックを転送する方法に関する。この方法には、重み付けした優先順位を有する未知のトラフィック特性を含むコネクションのトラフィックを、送信源からＡＴＭネットワーク上へ送信する工程が含まれている。このほかに、重み付けした優先順位は有しない未知のトラフィック特性を含む他のコネクションのトラフィックを、送信源からＡＴＭネットワーク上へ送信する工程がある。
【００１２】
添付図面において、本発明の望ましい実施例及び本発明を実践する望ましい方法が、各図に示されている。
【００１３】
【発明の詳細な説明】
図面に於いて、各図を通じて同種又は同じ部分には、同じ参照番号を付している。より詳細には図１を参照すると、ＡＴＭ通信システム(10)が示されている。システム(10)は、送信源(12)を具えており、これは、既知のトラフィック特性及び未知のトラフィック特性を有しているコネクションのためにトラフィックを生成する。トラフィックには、重み付けした優先順位を有するトラフィック及び、重み付けした優先順位は有しないトラフィックを含んでいる未知の特性がある。システム(10)は、トラフィックが伝わるネットワーク(14)を配備している。送信源(12)は、ネットワーク(14)へ接続されている。送信源(12)は、既知のトラフィック特性及び未知のトラフィック特性を有しているトラフィックを、ネットワーク上へ送出する。システム(10)は、ネットワーク(14)へ接続されている受信先(16)を具えており、既知のトラフィック特性及び未知のトラフィック特性を有しているトラフィックを受信する。システム(10)は、ネットワーク(14)へ接続されたスイッチ(18)を含んでいることが望ましく、該スイッチは、トラフィックを送信源(12)から受信先(16)へ切り替える。
【００１４】
図２にて示すように、本発明は、スイッチ(18)を有するネットワーク(14)のＡＴＭトラフィックを生成するための送信源(12)に関する。送信源(12)は、未知のトラフィック特性を有しているコネクションのために、トラフィックを生成する機構を具えている。トラフィックには、重み付けした優先順位を有するトラフィック及び重み付けした優先順位は有しないトラフィックが含まれる。送信源(12)は、トラフィックをネットワーク(14)へ送信する機構を含んでいる。
【００１５】
重み付けした優先順位を有する未知の特性を含むトラフィックとのコネクションは、重み付けした優先順位を有するＵＢＲコネクショントラフィック（ＵＢＲｗ  ＶＣ）であり、重み付けした優先順位は有しない未知の特性を含むトラフィックは、ＵＢＲ  ＶＣトラフィックであることが望ましい。ＵＢＲｗ  ＶＣトラフィックは、複数の重み付けした優先順位を有していることが望ましい。
【００１６】
望ましくは、送信源(12)は、既知のトラフィック特性を有しているトラフィックを、ネットワーク(14)へ供給する機構を含んでいる。既知のトラフィック特性を有しているトラフィックは、ＡＢＲ、ＣＢＲ、ＶＢＲ又はこれらの組合せであることが望ましい。望ましくは、送信源(12)には、ネットワーク(14)のスイッチ(18)に各ＵＢＲｗ  ＶＣの重さ（weight）を知らせる信号メッセージ（signaling message）を生成する機構が含まれている。
【００１７】
望ましくは、ＵＢＲｗ  ＶＣの重さは、ＵＢＲ  ＶＣとＵＢＲｗ  ＶＣトラフィック間の相対優先順位（a relative priority）を特定する。望ましくは、一層大きい重さを持つＵＢＲｗ  ＶＣｓは、ネットワーク(14)が利用可能な帯域幅の広い部分を受信する。各ＵＢＲｗ  ＶＣは、Ｎビットを有していることが望ましく、Ｎビットは、優先順位の重さに対応するＵＢＲｗ  ＶＣと関連している。
【００１８】
図３に示す様に、本発明は、ＡＴＭネットワーク(14)上のトラフィックを、送信源(12)から受信先(16)へ切り替えるスイッチ(18)に関している。スイッチ(18)は、未知のトラフィック特性を有するコネクションのためのトラフィックを受信する機構を具えている。トラフィックは、重み付けした優先順位を有するトラフィック及び重み付けした優先順位は有しないトラフィックを含む。スイッチ(18)は、コネクションのためのトラフィックをネットワーク(14)へ送信する機構を具えている。送信機構(22)は、受信機構(20)へ接続されている。スイッチ(18)は、スケジューラ(24)を具えており、これは、重み付けした優先順位を有する未知の特性を含むトラフィックを有するコネクションが、ネットワークへ送信されることになっている場合にスケジュールする。スケジューラ(24)は、送信機構(22)及び受信機構(20)へ接続されている。
【００１９】
重み付けした優先順位を有する未知の特性を含むトラフィックとのコネクションは、重み付けした優先順位を有するＵＢＲコネクショントラフィック（ＵＢＲｗ  ＶＣ）であり、重み付けした優先順位は有しない未知の特性を含むトラフィックは、ＵＢＲ  ＶＣトラフィックであることが望ましい。
【００２０】
スイッチ(18)は、コネクションを格納するメモリー(26)を含むことが望ましい。メモリー(26)は、受信機構(20)、スケジューラ(24)機構及び送信機構(22)へ接続されている。望ましくは、メモリー(26)は、ＶＣの重さに従って、より大きい重さのＶＣＳには、より高い優先順位を与える様に設けられたバッファ(28)を含んでいる。望ましくは、受信機構(20)も又、ＡＢＲ、ＣＢＲ、ＶＢＲ又はこれらの組合せの、既知の特性を有するトラフィックを受信する。望ましくは、スケジューラ(24)は、ＵＢＲｗ  ＶＣｓが送信機構(22)によって送信されることになっている場合にスケジュールするために、重み付けしたラウンドロビン方式(round robin scheduling)を利用する。
【００２１】
図４に示す様に、本発明は、ＡＴＭ通信システム(10)においてトラフィックを転送する方法に関する。該方法は、重み付けした優先順位を有する未知のトラフィック特性を含むコネクションのトラフィックを、送信源(12)からＡＴＭネットワーク(14)へ送信する工程を具えている。次に、重み付けした優先順位は有しない未知のトラフィック特性を含む他のコネクションのトラフィックを、送信源(12)からＡＴＭネットワーク(14)上へ送信する工程がある。
【００２２】
重み付けした優先順位を有する未知のトラフィック特性を含むコネクションのトラフィックを送信する工程の前に、重み付けした優先順位を有する未知のトラフィック特性を含むコネクションへ優先順位を割り当てる工程があることが望ましい。望ましくは、割当て工程の後、信号メッセージを、送信源(12)からネットワーク上(14)のスイッチ(18)へ送信する工程があり、該ネットワークは、重み付けした優先順位を有する未知のトラフィック特性を含むコネクションのトラフィックを受信することになっており、従って、スイッチ(18)は、重み付けした優先順位を有する未知のトラフィック特性を含むコネクションの優先順位の重さに対応するスケジューリングプロセスを組み立てる。
【００２３】
重み付けした優先順位を有する未知のトラフィック特性を含むコネクションのトラフィックを送信することには、重み付けした優先順位を有するＵＢＲコネクション（ＵＢＲｗ  ＶＣ）のトラフィックを送信する工程が含まれていることが望ましい。また、重み付けした優先順位は有しない未知のトラフィック特性を含む他のコネクションのトラフィックを送信する工程は、重み付けした優先順位は有しないＵＢＲコネクション（ＵＢＲ  ＶＣ）のトラフィックを送信する工程を含むことが望ましい。
【００２４】
割当て工程の後に、ＡＢＲ、ＣＢＲ、ＶＢＲ又はこれらの組合せの既知のトラフィック特性を有するトラフィックを、送信源(12)から送信する工程があることが望ましい。ＵＢＲｗ  ＶＣの送信工程の後、スイッチ(18)においてＵＢＲｗ  ＶＣを受信する工程があることが望ましい。望ましくは、該受信工程の後に、スイッチ(18)によって、重み付けしたラウンドロビンに基づいた受信先に向けてネットワーク(14)上へ送信するためのＵＢＲｗ  ＶＣをスケジュールする工程がある。
【００２５】
望ましい実施例の作動において、ＵＢＲｗとＵＢＲとの相違点は、ＵＢＲｗが、セル運搬に関して、複数の重み付けした優先順位を有していることである（例えば、Ｎ＝８の場所ではＮビット）。所与の優先順位は、低い又は高い優先順位を有する他のコネクションに関してのみ意味を成す。これは、損失又は遅延保証を与えることを指していない。ＵＢＲｗ  ＶＣは、ＵＢＲｗ  ＶＣがそれと関連した重さを有することの他は、ＵＢＣ  ＶＣと一致するであろう。これらの重さは、ＵＢＲ  ＶＣＳ内でのＶＣの相対的な「重要性」を特定する。優先クラスの重さは、大きく重み付けしたＵＢＲｗ  ＶＣが、小さく重み付けされたＶＣＳよりも大きな割合で利用可能な帯域幅を得るように、割り当てされる。
【００２６】
ＵＢＲｗ  ＶＣの重さは、スイッチ(18)へ伝達される。これは、呼出し設定時間の間に、経路に沿って行われることが可能である。重さ情報は、信号メッセージの中に含まれることになっている。
実施例のように、呼出しセットアップ及びデータ転送プロセスは、下記のように説明される。
・ホストは、重さ８を有するＵＢＲｗ  ＶＣ "Ａ"を要求する。
・他のホストは、重さ４を有するＵＢＲｗ  ＶＣ "Ｂ"を要求する。
・経路内のスイッチ(18)の各々が、ＶＣ "Ａ"及びＶＣ "Ｂ"への呼出セットアップ要求(call set-up requests)を受信したとき、各スイッチ(18)は、ＶＣ"Ａ"及びＶＣ "Ｂ"について、それぞれ重さ８及び重さ４でスケジューリングプロセスを準備する。
・他のスケジューリングアルゴリズムも用いられることが出来るが、本実施例においては簡素化のために、重み付けしたラウンドロビン方式を想定することにする。
・重み付けしたラウンドロビン方式を有するスイッチ(18)は、重さ８及び重さ４を、ＶＣ "Ａ"及びＶＣ "Ｂ"へ割り当てる。スイッチ(18)が２つのＶＣＳ（"Ａ"及び"Ｂ"）しか有しないと仮定する場合、（セルが利用可能なとき）スケジューラ(24)は、ＶＣ "Ａ"及び"Ｂ"からのセルが、夫々８サイクル及び４サイクルとして働く。
・この様に、ＶＣ "Ａ"からのセルは、ＶＣ "Ｂ"のセルの二倍働く。従って、ＶＣ "Ａ"は、重さに比例して、"Ｂ"より大きな帯域幅を得る。
・更に、スイッチ(18)内のバッファ(28)は、ＶＣの重さに応じて割り当てられ、同様に大きい重さを有するＶＣＳへ高い優先順位を与える。
【００２７】
図５は、スイッチ(18)内のＵＢＲｗ  ＶＣＳのスケジューリングを示している。図５の右側部分は、Ｗ1＝３、Ｗ2＝１及びＷn＝４が条件の時に、セルをＶＣＳから送信する順番を示している。スケジューラ(24)はまた、働いたセルの部分が、Ｗ1、Ｗ2及びＷnの部分に一致している限り、異なった順番でセルを働かせる。
【００２８】
一度、ＵＢＲｗサービスがスイッチ(18)内で許容されると、ＩＥＴＦ分化サービス及びＩＥＥＥ８０２.１ｐ／Ｑトラフィックは、容易にＡＴＭネットワークへ写像され得る。ＵＢＲｗは、ＩＳＰが様々なグレードのサービスを顧客へ提供することに役立ち、ＵＰＣの仕様を容易にするであろう。
【００２９】
本発明を、例示する目的で、前述の実施例において詳細にわたって説明してきたが、この様な詳細は、単にこの目的のために過ぎず、当該分野の専門家によって、前述の特許請求の範囲に説明するものを除いて、本発明の精神及び範囲から逸脱することなく、種々の変形が加えられることが可能であると理解されるべきである。
【図面の簡単な説明】
【図１】本発明のシステムを表す概略図である。
【図２】本発明の送信源を表す概略図である。
【図３】本発明のスイッチを表す概略図である。
【図４】本発明の方法を示す流れ図である。
【図５】スイッチ内のＵＢＲｗ  ＶＣｓをスケジュールすることを表す概略図である。
【符号の説明】
(10)  システム
(12)  送信源
(16)  受信先
(18)  スイッチ
(20)  受信機構
(22)  送信機構
(24)  スケジューラ
(26)  メモリー
(28)  バッファ
【図１】
0004209559.tif 000002
【図２】
0004209559.tif 000003
【図３】
0004209559.tif 000004
【図４】
0004209559.tif 000005
【図５】
0004209559.tif 000006